(57)【要約】      （修正有）【課題】駆動装置に回転方向の異なる大きな力が加わっても駆動装置を確実に固定できる電動回転ベッドの駆動装置を提供する。【解決手段】駆動装置を固定した駆動装置固定部材を締結プレート１３を用いて床固定部材１２に固定するとともに、該床固定部材を回転ベッドフレームの回転中心から離れた位置で湯下面と締結することにより、回転ベッドフレームを駆動する際に発生する反作用により締結部分に加わる負荷を軽減する。【選択図】図４
2012254267.tif 000002
【特許請求の範囲】
【請求項１】
回転軸と、前記回転軸を中心として、前記回転軸と一体的に回転をする回転ベッドフレームと、前記回転ベッドフレームに駆動力を伝達する駆動装置と、前記駆動装置を一体的に固定する駆動装置固定部材と、前記駆動装置固定部材を固定し、前記駆動装置固定部材の設置面の面積より大きい面積を有し、床面に固定可能な床固定部材とがあり、前記床固定部材を床面に固定する事で、前記回転ベッドフレームを回転する時に駆動装置が受ける反力を前記床固定部材が受ける構造を特徴とする電動回転ベッドの駆動装置。
【請求項２】
回転軸と、前記回転軸を中心として、前記回転軸と一体的に回転をする回転ベッドフレームと、前記回転軸に駆動力を伝達する駆動装置と、前記駆動装置を一体的に固定する駆動装置固定部材と、前記駆動装置固定部材を固定し、前記駆動装置固定部材の設置面の面積より大きい面積を有し、床面に固定可能な床固定部材とがあり、前記床固定部材を床面に固定する事で、前記回転ベッドフレームを回転する時に駆動装置が受ける反力を前記床固定部材が受ける構造を特徴とする電動回転ベッドの駆動装置。
【請求項３】
請求項１、請求項２に於いて、前記駆動装置固定部材と共に前記床固定部材を挟み込む少なくとも１枚以上の締結プレートとがあり、前記締結プレートと記駆動装置固定部材を少なくとも２箇所以上で締結する事により、前記駆動装置を前記床固定部材に固定し、前記床固定部材を床面に固定する事で、前記回転ベッドフレームを回転する時に駆動装置が受ける反力を前記床固定部材が受ける構造を特徴とする電動回転ベッドの駆動装置。
【発明の詳細な説明】
【技術分野】
【０００１】  本発明は電動回転ベッドの駆動装置に関する。
【背景技術】
【０００２】  従来の電動回転ベッド駆動装置は、例えば特許文献１に記載の駆動装置が知られている。この駆動装置の固定方法はモータ等の駆動部分を直接床面にタッピングビス等で固定していた。
【発明の概要】
【特許文献】
【０００３】
【特許文献１】  特願２０１０−２４１４３１
【発明の概要】
【本発明が解決しようとする課題】
【０００４】  しかしながら、特許文献１記載の技術では、回転ベッドフレームやマットレス更に回転ベッドに利用者が乗った状態でモータを作動させて、回転ベッドフレームを回転させるので、モータは非常に大きな力を必要とする。必然的にその反作用をモータが受けるため、モータやモータを取りつけているベースには非常に大きな力が加わる事となる。しかも、モータはＣＷ、ＣＣＷ回転するのでモータやモータに取りつけているベースにも回転方向の異なる力が加わる。このように回転方向の異なる大きな力を繰り返し受けると、仮にベースをタッピングビスで床面と固定した場合、タッピングビスが緩まり易くなる。その結果、ベースが床面から外れ、モータの駆動力を回転ベッドフレームに伝達できなくなり故障の原因となっていた。
【０００５】  また、特許文献１記載の従来技術においても同様で、回転ベッドフレームをＣＷ、ＣＣＷに回転させる時に、モータベースには回転方向の異なる大きな力が加わる。仮にモータベースをタッピングビスで床面と固定した場合、タッピングビスが緩まり易くなる。その結果、モータベースが床面から外れ、モータの駆動力を回転ベッドフレームに伝達できなくなり故障の原因となっていた。
【０００６】  本考案はこのような事情に鑑み、駆動装置に回転方向の異なる大きな力が加わっても駆動装置を確実に固定できる電動回転ベッドの駆動装置を提供する事を目的とする。
【課題を解決するための手段】
【０００７】  上記課題を解決するために請求項１記載の電動回転ベッドの駆動装置は、回転軸と、前記回転軸を中心として、前記回転軸と一体的に回転をする回転ベッドフレームと、前記回転ベッドフレームに駆動力を伝達する駆動装置と、前記駆動装置を一体的に固定する駆動装置固定部材と、前記駆動装置固定部材を固定し、前記駆動装置固定部材の設置面の面積より大きい面積を有し、床面に固定可能な床固定部材とがあり、前記床固定部材を床面に固定する事で、前記回転ベッドフレームを回転する時に駆動装置が受ける反力を前記床固定部材が受ける構造を特徴とする。
【０００８】  請求項２記載の電動回転ベッドの駆動装置は、回転軸と、前記回転軸を中心として、前記回転軸と一体的に回転をする回転ベッドフレームと、前記回転軸に駆動力を伝達する駆動装置と、前記駆動装置を一体的に固定する駆動装置固定部材と、前記駆動装置固定部材を固定し、前記駆動装置固定部材の設置面の面積より大きい面積を有し、床面に固定可能な床固定部材とがあり、前記床固定部材を床面に固定する事で、前記回転ベッドフレームを回転する時に駆動装置が受ける反力を前記床固定部材が受ける構造を特徴とする。
【０００９】  請求項３記載の電動回転ベッドの駆動装置は、請求項１に於いて、前記駆動装置固定部材と共に前記床固定部材を挟み込む少なくとも１枚以上の締結プレートとがあり、前記締結プレートと記駆動装置固定部材を少なくとも２箇所以上で締結する事で前記駆動装置を前記床固定部材に固定し、前記床固定部材を床面に固定する事で、前記回転ベッドフレームを回転する時に駆動装置が受ける反力を前記床固定部材が受ける構造を特徴とする。
【発明の効果】
【００１０】  本発明によれば、回転ベッドフレームを回転する時に必要な非常に大きな回転力の反作用を駆動装置が受けるが、駆動装置を固定した床固定部材を回転ベッドフレームの回転中心から離れた位置で床面と締結する事により、締結部分に加わる負荷を軽減できる。また、複数の締結をする事で更に各々の締結部分に加わる負荷を軽減できる。これにより従来床面が木材或いは床面下地が木材のように、直接コンクリートのアンカーを打てないような床面の場合でも、大きな力を要する回転ベッドフレームの駆動装置の固定を簡単に出来るようになる。更に固定部材を直接床面にタッピングビス等で固定できるので、駆動装置の固定が容易に行える。
【図面の簡単な説明】
【００１１】
【図１】実施例１に係る電動回転ベッド全体の斜視図である
【図２】実施例１に係る電動回転ベッドの縦断面図である
【図３】実施例１に係る電動回転ベッドのＹ−Ｙ断面図である
【図４】図２のＡ部拡大図である
【図５】実施例１で床固定部材・固定プレートを分割した時のＹ−Ｙ断面図である
【図６】実施例１で床固定部材・固定プレートを分割した時のＡ部拡大図である
【発明を実施するための形態】
【００１２】  以下、本発明の実施形態について図面を参照して詳細に説明する。
【００１３】  図１〜図６において実施例１を説明する。
【００１４】  図１は本発明の実施例１に係る電動回転ベッドの斜視図で、図２、図３はそれぞれ縦断面図、Ｙ−Ｙ断面図で、図４は図２のＡ部拡大図である。
【００１５】  床固定部材１２と駆動装置固定部材１にはボルト１４が通る穴が各々４個開いていて、締結プレート１３にはボルト１４が締結できるようにタップが切った穴が４個開いている。また、床固定部材１２と駆動装置固定部材１のボルト１４が通る穴と、締結プレート１３にはボルト１４が締結できる穴は同位置あり、これにより、駆動装置固定部材１と締結プレート１３は床固定部材１２を挟みこみ、４本のボルト１４を使い締結することで、駆動装置固定部材１と締結プレート１３と床固定部材１２は一体的に固定される。また、床固定部材１２は締結プレート１３の厚み相当が入る程度に凹（１２Ａ部分）になっていて、床固定部材１２の外周付近において多数のビス１６を用いて床１７と固定するようになっている。
【００１６】  駆動装置固定部材１には４本のシャフト６が固定されている。更に４本のシャフト６の他端には軸受ベース８が固定されていて、軸受ベース８には軸受４と４個の軸受用ローラ７が固定されている。軸受用ローラ７はマット受け１５からの加重を受けると同時に、軸受用ローラ７が回転することでマット受け１５をスムースに回転する役割をしている。回転軸３は軸受４に回転可能に軸支されていて、一端にはモータ２が一体的に嵌合し、他端には嵌合軸５が一体的に嵌合している。また、モータ２は図示していない回転止めにより、回転方向を規制されるように固定されている。マット受け１５は嵌合軸５及び回転ベッドフレーム１０と一体的に固定されている。マット受け１５の上にはマットレス９が乗っかっている。また回転ベッドフレーム１０には複数の枠ローラ１１が固定されており、回転ベッドフレーム１０が回転軸３を中心に回転する時、枠ローラ１１が床面１６に対して回転することで、回転ベッドフレーム１０の回転をスムースにする役割をしている。これにより、モータ２が回転すると回転軸３、嵌合軸５、マット受け１５、回転ベッドフレーム１０が一体的に回転するようになっている。
【００１７】  回転ベッドフレーム１０の回転中心からボルト１４までの距離をｒ１、同じく回転ベッドフレーム１０の回転中心からビス１６までの距離をｒ２、モータトルクをＴとすると、ボルト１４に加わる力Ｆ１４とすると
Ｆ１４＝Ｔ／ｒ１・・・▲１▼
ビス１６での力をＦ１６とすると
Ｆ１６＝Ｔ／ｒ２・・・▲２▼
▲１▼▲２▼より
Ｆ１６＝ｒ１／ｒ２×Ｆ１４
となり、
ｒ１＜ｒ２
である事からｒ１での力よりｒ２での力を減らす事ができる。実際の設計においてはｒ１／ｒ２＝１／５程度は確保できるので、十分にビス１６に加わる力１／５程度に減少できる。
【００１８】  また、駆動装置固定部材１の外周に比べ、床固定部材１２の外周が長いので、ボルト１４の本数よりビス１６の本数を多くできるので、ビス１６に加わる力を更に減らす事ができる。
【００１９】  床固定部材１２は鉄板やベニア等で作成してよく、鉄板の場合ビス１６が打てるような穴が開いていればよい。またベニアのような木材の場合、ベニア全面のどこにでもビス１６が打てるので、ビス１６の数を簡単に増やす事ができるので力の分散をさせやすい。
【００２０】  締結プレート１３及び床固定部材１２は図５、図６のように２枚或いは複数に分割していても良い。（図中の符号は分割に際し、図３、図４より変更した箇所である）
【符号の説明】
【００２１】１            駆動装置固定部材
２            モータ
３            回転軸
４            軸受
５            勘合軸
６            シャフト
７            軸受用ローラ
８            軸受ベース
９            マットレス
１０          回転ベッドフレーム
１１          枠ローラ
１２          床固定部材
１３          締結プレート
１４          ボルト
１５          マット受け
１６          ビス
１７          床
【図１】
2012254267.tif 000003
【図２】
2012254267.tif 000004
【図３】
2012254267.tif 000005
【図４】
2012254267.tif 000006
【図５】
2012254267.tif 000007
【図６】
2012254267.tif 000008